(57)【要約】【課題】通常の消費材に対する特殊な消費材の相対量の調整後の印刷結果の状態を予め確認することができる情報処理装置、画像形成装置、画像処理システムおよび画像処理方法を提供する。【解決手段】印刷データに基づいてプレビュー表示を行う情報処理装置であって、入力部への操作入力に応じて、印刷データに基づいて画像形成装置で印刷される場合における通常の消費材で描画されるときのその通常の消費財の量、または、特殊な消費材で描画されるときのその特殊な消費材の量のうち少なくともいずれかを設定値として設定する設定部と、印刷データに基づいて、設定部により設定された設定値が反映されて生成された印刷プレビュー画像を、表示部に表示させる表示制御部と、を備える。【選択図】図５
2020131507.tif 000002
【特許請求の範囲】
【請求項１】
印刷データに基づいてプレビュー表示を行う情報処理装置であって、
入力部への操作入力に応じて、前記印刷データに基づいて画像形成装置で印刷される場合における通常の消費材で描画されるときの該通常の消費財の量、または、特殊な消費材で描画されるときの該特殊な消費材の量のうち少なくともいずれかを設定値として設定する設定部と、
前記印刷データに基づいて、前記設定部により設定された前記設定値が反映されて生成された印刷プレビュー画像を、表示部に表示させる表示制御部と、
を備えた情報処理装置。
【請求項２】
前記表示制御部は、前記印刷データに基づいて、前記画像形成装置によって、前記設定部により設定された前記設定値が反映されて生成された前記印刷プレビュー画像を、前記表示部に表示させる請求項１に記載の情報処理装置。
【請求項３】
前記表示制御部は、前記設定部により前記設定値が設定されていない場合、前記通常の消費材のみの描画に基づいて生成された前記印刷プレビュー画像を、前記表示部に表示させる請求項１または２に記載の情報処理装置。
【請求項４】
前記表示制御部は、前記設定部により前記設定値が設定されていない場合、前記特殊な消費材については所定量の描画に基づいて生成された前記印刷プレビュー画像を、前記表示部に表示させる請求項１または２に記載の情報処理装置。
【請求項５】
前記特殊な消費材は、不可視な消費材である請求項１〜４のいずれか一項に記載の情報処理装置。
【請求項６】
前記不可視な消費材は、ＩＲ（Ｉｎｆｒａｒｅｄ）トナーである請求項５に記載の情報処理装置。
【請求項７】
情報処理装置から、印刷データ、および、前記印刷データに基づいて通常の消費材で描画されるときの該通常の消費財の量、または、特殊な消費材で描画されるときの該特殊な消費材の量のうち少なくともいずれかについて設定された設定値を取得する取得部と、
前記印刷データに基づいて、前記取得部により取得された前記設定値を反映させて印刷プレビュー画像を生成する画像生成部と、
前記画像生成部により生成された前記印刷プレビュー画像を、前記情報処理装置へ送信する送信部と、
を備えた画像形成装置。
【請求項８】
情報処理装置と、画像形成装置とを含む画像処理システムであって、
前記情報処理装置は、
入力部への操作入力に応じて、印刷データに基づいて前記画像形成装置で印刷される場合における通常の消費材で描画されるときの該通常の消費財の量、または、特殊な消費材で描画されるときの該特殊な消費材の量のうち少なくともいずれかを設定値として設定する設定部と、
前記印刷データ、および、前記設定部により設定された前記設定値を、前記画像形成装置へ送信する第１送信部と、
を備え、
前記画像形成装置は、
前記第１送信部により送信された前記印刷データおよび前記設定値を取得する第１取得部と、
前記印刷データに基づいて、前記第１取得部により取得された前記設定値を反映させて印刷プレビュー画像を生成する画像生成部と、
前記画像生成部により生成された前記印刷プレビュー画像を、前記情報処理装置へ送信する第２送信部と、
を備え、
前記情報処理装置は、
前記第２送信部により送信された前記印刷プレビュー画像を取得する第２取得部と、
前記第２取得部により取得された前記印刷プレビュー画像を、表示部に表示させる表示制御部と、
をさらに備えた画像処理システム。
【請求項９】
印刷データに基づいてプレビュー表示を行う画像処理方法であって、
入力部への操作入力に応じて、前記印刷データに基づいて画像形成装置で印刷される場合における通常の消費材で描画されるときの該通常の消費財の量、または、特殊な消費材で描画されるときの該特殊な消費材の量のうち少なくともいずれかを設定値として設定する設定ステップと、
前記印刷データに基づいて、設定した前記設定値が反映されて生成された印刷プレビュー画像を、表示部に表示させる表示制御ステップと、
を有する画像処理方法。
【発明の詳細な説明】
【技術分野】
【０００１】
本発明は、情報処理装置、画像形成装置、画像処理システムおよび画像処理方法に関する。
【背景技術】
【０００２】
近年、カラーのインク、トナーおよびリボン等を用いて印刷媒体に印刷を行うことの他に、可視光線を透過し、波長領域が約８５０［ｎｍ］前後の近赤外線を含む赤外線を吸収するＩＲ（Ｉｎｆｒａｒｅｄ）トナーと称する特殊な消費材を用いて印刷する技術が知られている。具体的には、ＩＲトナーは、赤外光の波長領域に吸収性を有し、可視光の波長領域の吸収性が赤外光の波長領域の吸収性よりも少ないトナーである。ＩＲトナーによる印刷は、印刷媒体に印刷されても、可視光について透過性があるため（不可視化）、原則として人間の目では視認できないという性質を有する。したがって、物流における物品に取り付けるタグの識別コード（例えば、ＱＲコード（登録商標）等）の印刷、店に陳列された商品のタグへの印刷、または、社員証等に特殊な情報の印刷する等の用途が想定される。このうち、例えば、社員証等に特殊な情報を印刷することによって、社員証の原本性を確保するという目的で使用される。ＩＲトナーで印刷された画像は、原則として人間の目で視認することができず、可視光線を透過することから、通常のコピー機でコピーすることはできない。印刷媒体に印刷されたＩＲトナーによる画像は、赤外線カメラ等の特殊な読み取り装置によって読み取ることが可能である。カラーのトナー等以外の特殊な消費材としては、上述のＩＲトナーの他、近赤外線の照射による消色する消色トナー、または、紫外線の照射により硬化するＵＶ（Ｕｌｔｒａｖｉｏｌｅｔ）インク等がある。
【０００３】
また、ＩＲトナーは完全に透明でないため、例えば白地に印刷されると、何が印刷されているかまでは分からなくても、何かが印刷されていることについては人の目で認識される場合がある。上述のように、ＩＲトナーはセキュリティ用途で使用される場合があり、また、デザイン的な観点からも、人の目で明瞭に見えてしまうことは好ましくない。したがって、このようなＩＲトナーを含む特殊な消費材については、印刷する前にプレビュー表示することにより、事前にどのように印刷されるかを確認したいという要請がある。
【０００４】
このような、特殊な消費材を用いた画像形成装置として、消色トナーを用いた印刷をする際に、消色トナーにより印刷画像の一部が消去された印刷結果の状態をプレビュー表示することができる装置が開示されている（特許文献１参照）。
【発明の概要】
【発明が解決しようとする課題】
【０００５】
しかしながら、特許文献１に記載された技術では、プレビュー時の背景色または通常のカラートナー画像と、消色トナー画像とを含むプレビュー画像の表示において、消色トナーのトナー量または通常のカラートナーのトナー量を調整した場合のプレビュー画像の表示動作が開示されていないという問題がある。また、ＩＲトナーは、他の通常のトナー画像に重ねると見えにくくなる傾向があるが、ＩＲトナーのトナー量、または、ＩＲトナーによる画像と重なる通常のトナーのトナー量によっては、なおもＩＲトナーによる画像が認識されやすくなってしまうという問題がある。
【０００６】
本発明は、上記に鑑みてなされたものであって、通常の消費材に対する特殊な消費材の相対量の調整後の印刷結果の状態を予め確認することができる情報処理装置、画像形成装置、画像処理システムおよび画像処理方法を提供することを目的とする。
【課題を解決するための手段】
【０００７】
上述した課題を解決し、目的を達成するために、本発明は、印刷データに基づいてプレビュー表示を行う情報処理装置であって、入力部への操作入力に応じて、前記印刷データに基づいて画像形成装置で印刷される場合における通常の消費材で描画されるときの該通常の消費財の量、または、特殊な消費材で描画されるときの該特殊な消費材の量のうち少なくともいずれかを設定値として設定する設定部と、前記印刷データに基づいて、前記設定部により設定された前記設定値が反映されて生成された印刷プレビュー画像を、表示部に表示させる表示制御部と、を備えたことを特徴とする。
【発明の効果】
【０００８】
本発明によれば、通常の消費材に対する特殊な消費材の相対量の調整後の印刷結果の状態を予め確認することができる。
【図面の簡単な説明】
【０００９】
【図１】図１は、実施形態に係る画像処理システムの全体構成の一例を示す図である。
【図２】図２は、実施形態に係るＰＣのハードウェア構成の一例を示す図である。
【図３】図３は、実施形態に係る画像形成装置のハードウェア構成の一例を示す図である。
【図４】図４は、実施形態に係るＰＣのソフトウェア構成の一例を示す図である。
【図５】図５は、実施形態に係る画像処理システムの機能ブロック構成の一例を示す図である。
【図６】図６は、実施形態に係る画像処理システムの印刷プレビュー表示動作の一例を示すシーケンス図である。
【図７】図７は、プレビュー表示画面の一例を示す図である。
【図８】図８は、実施形態での印刷プレビュー表示動作のうち画像形成装置側の動作の一例を示すフローチャートである。
【図９】図９は、実施形態での印刷プレビュー表示動作のうちＰＣ側の動作の一例を示すフローチャートである。
【図１０】図１０は、トナー量編集画面の一例を示す図である。
【発明を実施するための形態】
【００１０】
以下に、図面を参照しながら、本発明に係る情報処理装置、画像形成装置、画像処理システムおよび画像処理方法の実施形態を詳細に説明する。また、以下の実施形態によって本発明が限定されるものではなく、以下の実施形態における構成要素には、当業者が容易に想到できるもの、実質的に同一のもの、およびいわゆる均等の範囲のものが含まれる。さらに、以下の実施形態の要旨を逸脱しない範囲で構成要素の種々の省略、置換、変更および組み合わせを行うことができる。
【００１１】
（画像処理システムの全体構成）
図１は、実施形態に係る画像処理システムの全体構成の一例を示す図である。図１を参照しながら、本実施形態に係る画像処理システム１の全体構成について説明する。
【００１２】
図１に示すように、画像処理システム１は、ＰＣ（Ｐｅｒｓｏｎａｌ  Ｃｏｍｐｕｔｅｒ）１０ａ、１０ｂと、画像形成装置２０と、を含む。ＰＣ１０ａ、１０ｂおよび画像形成装置２０は、それぞれネットワークＮを介して、互いに通信可能となっている。
【００１３】
なお、図１において、画像処理システム１は、２台のＰＣ１０ａ、１０ｂを含むものとしているが、これに限定されるものではなく、ＰＣは１台以上であればよい。また、ＰＣ１０ａ、１０ｂについて、任意のＰＣを示す場合、または総称する場合、単に「ＰＣ１０」と称するものとする。また、ＰＣ１０および画像形成装置２０は、それぞれ情報処理装置の一例であり、ＰＣ１０は、スマートフォン、タブレット端末、またはワークステーション等の異なる情報処理装置であってもよい。
【００１４】
ＰＣ１０は、アプリケーションにより作成された原稿データから印刷データを生成し、ネットワークＮを介して画像形成装置２０へ、印刷データをジョブとして送信する情報処理装置の一例である。また、ＰＣ１０は、印刷データの画像形成装置２０での印刷状態を予め確認するためのプレビュー表示機能を有する。また、ＰＣ１０は、ＩＲトナー等の特殊な消費材で描画するための印刷データを作成する機能を有する。ここで、ＩＲトナー等の特殊な消費材は、人間に対して不可視な消費材であるものする。したって、不可視な消費材としては、その他、ＵＶトナー等を用いるものとしてもよい。また、トナーに限定されるものでもなく、インクまたはリボンであってもよい。ただし、以下では、特殊な消費材がＩＲトナーであるものとして説明する。なお、不可視とは、完全に人間が見えない状態のみならず、当該消費材が印刷された場合にうっすらと見ることができるものの何が印刷されているのかは視認できない状態を含む。したがって、例えば、ＩＲトナーによる画像は、通常のカラートナーによる画像に対して重畳させて印刷することにより、ＩＲトナーによる画像がうっすらと見えることを抑制することができる。
【００１５】
画像形成装置２０は、ＰＣ１０からネットワークＮを介して印刷データを受信し、当該印刷データを印刷出力（画像形成）する情報処理装置の一例である。また、画像形成装置２０は、印刷データに基づき、ＩＲトナー等の特殊な消費材で印刷することが可能であるものとする。
【００１６】
なお、画像形成装置２０は、印刷機能を有するプリンタ等であればよく、トナー印刷によるレーザプリンタ、インク印刷によるインクジェットプリンタ、またはリボン印刷による印刷機器のいずれであってもよい。以下では、画像形成装置２０は、コピー機能、プリンタ機能、スキャナ機能、およびファクシミリ機能のうち少なくとも２つの機能を有するトナー印刷による複合機（ＭＦＰ：Ｍｕｌｔｉｆｕｎｃｔｉｏｎ  Ｐｅｒｉｐｈｅｒａｌ）であるものとして説明する。また、画像形成装置２０で印刷可能な特殊な消費材は、ＩＲトナーであるものとして説明する。
【００１７】
ネットワークＮは、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、専用回線、またはインターネット等のネットワークである。ネットワークＮは、例えば、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）等の通信プロトコルでデータ通信が行われる。また、ネットワークＮは、有線または無線のネットワークのいずれを含んでいてもよい。
【００１８】
（ＰＣのハードウェア構成）
図２は、実施形態に係るＰＣのハードウェア構成の一例を示す図である。図２を参照しながら、本実施形態に係るＰＣ１０のハードウェア構成について説明する。
【００１９】
図２に示すように、ＰＣ１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、通信Ｉ／Ｆ（Ｉｎｔｅｒｆａｃｅ）１０４と、入出力Ｉ／Ｆ１０５と、入力装置１０６と、表示装置１０７と、補助記憶装置１０８と、を備えている。
【００２０】
ＣＰＵ１０１は、ＰＣ１０全体の動作を制御する演算装置である。ＲＯＭ１０２は、ＰＣ１０用のファームウェア等のプログラムを記憶している不揮発性記憶装置である。ＲＡＭ１０３は、ＣＰＵ１０１のワークエリアとして使用される揮発性記憶装置である。
【００２１】
通信Ｉ／Ｆ１０４は、ネットワークＮ等を介してデータを通信するためのＮＩＣ（Ｎｅｔｗｏｒｋ  Ｉｎｔｅｒｆａｃｅ  Ｃａｒｄ）等のインターフェースである。通信Ｉ／Ｆ１０４は、例えば、ＴＣＰ／ＩＰ等の通信プロトコルでデータ通信を行う。
【００２２】
入出力Ｉ／Ｆ１０５は、各種装置（例えば、入力装置１０６および表示装置１０７）とバス１０９とを接続するためのインターフェースである。
【００２３】
入力装置１０６は、文字および数字等の入力、各種指示の選択、ならびにカーソルの移動等の操作を行うためのマウスまたはキーボード等の入力装置である。
【００２４】
表示装置１０７は、カーソル、メニュー、ウィンドウ、文字または画像等の各種情報を表示するＬＣＤ（Ｌｉｑｕｉｄ  Ｃｒｙｓｔａｌ  Ｄｉｓｐｌａｙ）、プラズマディスプレイ、または有機ＥＬ（Ｅｌｅｃｔｒｏ−Ｌｕｍｉｎｅｓｃｅｎｃｅ）ディスプレイ等の表示装置である。
【００２５】
補助記憶装置１０８は、ＯＳ（Ｏｐｅｒａｔｉｎｇ  Ｓｙｓｔｅｍ）、アプリケーションプログラム、プリンタドライバ、および各種データを記憶するＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等の記憶装置である。
【００２６】
上述のＣＰＵ１０１、ＲＯＭ１０２、ＲＡＭ１０３、通信Ｉ／Ｆ１０４、入出力Ｉ／Ｆ１０５および補助記憶装置１０８は、アドレスバスおよびデータバス等のバス１０９によって互いに通信可能に接続されている。
【００２７】
なお、図２に示したＰＣ１０のハードウェア構成の一例を示すものであり、図２に示した構成要素をすべて含む必要はなく、その他の構成要素を含むものとしてもよい。
【００２８】
（画像形成装置のハードウェア構成）
図３は、実施形態に係る画像形成装置のハードウェア構成の一例を示す図である。図３を参照しながら、本実施形態に係る画像形成装置２０のハードウェア構成について説明する。
【００２９】
図３に示すように、本実施形態に係る画像形成装置２０は、コントローラ２００と、操作表示部２１０と、ＦＣＵ（Ｆａｃｓｉｍｉｌｅ  Ｃｏｎｔｒｏｌ  Ｕｎｉｔ）２２０と、プロッタ２３１と、スキャナ２３２と、とがＰＣＩ（Ｐｅｒｉｐｈｅｒａｌ  Ｃｏｍｐｏｎｅｎｔ  Ｉｎｔｅｒｆａｃｅ）バスで接続された構成となっている。
【００３０】
コントローラ２００は、画像形成装置２０全体の制御、描画、通信、各種エンジンの制御および操作表示部２１０からの入力を制御する装置である。
【００３１】
操作表示部２１０は、例えば、タッチパネル等であり、コントローラ２００に対する入力を受け付ける（入力機能）と共に、画像形成装置２０の状態等を表示（表示機能）する装置であり、後述するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２０６に直接接続されている。
【００３２】
ＦＣＵ２２０は、ファックス機能を実現する装置であり、例えば、ＰＣＩバスによってＡＳＩＣ２０６に接続されている。
【００３３】
プロッタ２３１は、印刷機能を実現する装置であり、例えば、ＰＣＩバスによってＡＳＩＣ２０６に接続されている。スキャナ２３２は、スキャナ機能を実現する機能であり、例えば、ＰＣＩバスによってＡＳＩＣ２０６に接続されている。
【００３４】
コントローラ２００は、ＣＰＵ２０１と、システムメモリ（ＭＥＭ−Ｐ）２０２と、ノースブリッジ（ＮＢ）２０３と、サウスブリッジ（ＳＢ）２０４ａと、ネットワークＩ／Ｆ２０４ｂと、ＵＳＢ（Ｕｎｉｖｅｒｓａｌ  Ｓｅｒｉａｌ  Ｂｕｓ）  Ｉ／Ｆ２０４ｃと、セントロニクスＩ／Ｆ２０４ｄと、ＡＳＩＣ２０６と、ローカルメモリ（ＭＥＭ−Ｃ）２０７と、補助記憶装置２０８と、を有している。
【００３５】
ＣＰＵ２０１は、画像形成装置２０の全体制御を行うものであり、システムメモリ２０２、ノースブリッジ２０３およびサウスブリッジ２０４ａからなるチップセットに接続され、このチップセットを介して他の機器と接続される。
【００３６】
システムメモリ２０２は、プログラムおよびデータの格納用メモリ、プログラムおよびデータの展開用メモリ、ならびにプリンタの描画用メモリ等として用いるメモリであり、ＲＯＭとＲＡＭとを有している。このうち、ＲＯＭは、プログラムおよびデータの格納用メモリとして用いる読み出し専用のメモリであり、ＲＡＭは、プログラムおよびデータの展開用メモリ、ならびにプリンタの描画用メモリ等として用いる書き込みおよび読み出し可能なメモリである。
【００３７】
ノースブリッジ２０３は、ＣＰＵ２０１と、システムメモリ２０２、サウスブリッジ２０４ａおよびＡＧＰ（Ａｃｃｅｌｅｒａｔｅｄ  Ｇｒａｐｈｉｃｓ  Ｐｏｒｔ）バス２０５とを接続するためのブリッジであり、システムメモリ２０２に対する読み書き等を制御するメモリコントローラと、ＰＣＩマスタおよびＡＧＰターゲットとを有する。
【００３８】
サウスブリッジ２０４ａは、ノースブリッジ２０３と、ＰＣＩデバイスおよび周辺デバイスとを接続するためのブリッジである。サウスブリッジ２０４ａは、ＰＣＩバスを介してノースブリッジ２０３と接続されており、ＰＣＩバスには、ネットワークＩ／Ｆ２０４ｂ、ＵＳＢ  Ｉ／Ｆ２０４ｃおよびセントロニクスＩ／Ｆ２０４ｄ等が接続されている。
【００３９】
ＡＧＰバス２０５は、グラフィック処理を高速化するために提案されたグラフィックスアクセラレータカード用のバスインターフェースである。ＡＧＰバス２０５は、システムメモリ２０２に高スループットで直接アクセスすることにより、グラフィックスアクセラレータカードを高速にするバスである。
【００４０】
ＡＳＩＣ２０６は、画像処理用のハードウェア要素を有する画像処理用途向けのＩＣ（Ｉｎｔｅｇｒａｔｅｄ  Ｃｉｒｃｕｉｔ）であり、ＡＧＰバス２０５、ＰＣＩバス、補助記憶装置２０８およびローカルメモリ２０７をそれぞれ接続するブリッジの役割を有する。ＡＳＩＣ２０６は、ＰＣＩターゲットおよびＡＧＰマスタと、ＡＳＩＣ２０６の中核をなすアービタ（ＡＲＢ）と、ローカルメモリ２０７を制御するメモリコントローラと、ハードウェアロジック等により画像データの回転等を行う複数のＤＭＡＣ（Ｄｉｒｅｃｔ  Ｍｅｍｏｒｙ  Ａｃｃｅｓｓ  Ｃｏｎｔｒｏｌｌｅｒ）と、プロッタ２３１およびスキャナ２３２との間でＰＣＩバスを介したデータ転送を行うＰＣＩユニットとから構成される。ＡＳＩＣ２０６には、例えば、ＰＣＩバスを介してＦＣＵ２２０、プロッタ２３１およびスキャナ２３２が接続される。また、ＡＳＩＣ２０６は、図示しないホストＰＣおよびネットワーク等にも接続されている。
【００４１】
ローカルメモリ２０７は、コピー用画像バッファおよび符号バッファとして用いるメモリである。
【００４２】
補助記憶装置２０８は、ＨＤＤ、ＳＳＤ、ＳＤ（Ｓｅｃｕｒｅ  Ｄｉｇｉｔａｌ）カードまたはフラッシュメモリ等の記憶装置であり、画像データの蓄積、プログラムの蓄積、フォントデータの蓄積、およびフォームの蓄積等を行うためのストレージである。
【００４３】
なお、図３に示す画像形成装置２０のハードウェア構成は、一例であり、すべての構成機器を備えている必要はなく、また、他の構成機器を備えているものとしてもよい。
【００４４】
（ＰＣのソフトウェア構成）
図４は、実施形態に係るＰＣのソフトウェア構成の一例を示す図である。図４を参照しながら、本実施形態に係るＰＣ１０のソフトウェア構成について説明する。
【００４５】
図４に示すように、ＰＣ１０は、アプリケーション１５１と、プリンタドライバ１５２と、プレビューアプリケーション１５３と、がインストールされている。
【００４６】
アプリケーション１５１は、印刷対象となる画像等を含むデータを作成するソフトウェアである。
【００４７】
プリンタドライバ１５２は、アプリケーション１５１により作成された印刷対象となるデータから、画像形成装置２０へジョブとして送るための印刷データを生成するソフトウェアである。
【００４８】
プレビューアプリケーション１５３は、プリンタドライバ１５２により生成された印刷データから、画像形成装置２０での印刷状態を予め確認するためのプレビュー表示を行うソフトウェアである。また、プレビューアプリケーション１５３は、プリンタドライバ１５２で生成された印刷データから画像形成装置２０により生成された印刷プレビュー画像を、画像形成装置２０での印刷状態を予め確認するための画像としてプレビュー表示を行う。
【００４９】
なお、プリンタドライバ１５２およびプレビューアプリケーション１５３は、別個のソフトウェアである必要はなく、１つのソフトウェアとして構成されているものとしてもよい。
【００５０】
（画像処理システムの機能ブロック構成）
図５は、実施形態に係る画像処理システムの機能ブロック構成の一例を示す図である。図５を参照しながら、本実施形態に係る画像処理システム１の機能ブロックの構成について説明する。
【００５１】
＜ＰＣの機能ブロック構成＞
図５に示すように、本実施形態に係る画像処理システム１のＰＣ１０は、通信部３０１（第１送信部）と、設定部３０２と、取得部３０３（第２取得部）と、記憶部３１１と、入力部３１２と、表示制御部３１３と、表示部３１４と、を有する。
【００５２】
通信部３０１は、ネットワークＮを介して、画像形成装置２０とデータ通信を行う機能部である。通信部３０１は、例えば、図２に示す通信Ｉ／Ｆ１０４、およびＣＰＵ１０１で実行されるプログラム（プリンタドライバ１５２）によって実現される。
【００５３】
設定部３０２は、ユーザの入力部３１２への操作入力に従って、印刷データが画像形成装置２０で印刷される際のＩＲトナーおよび通常のカラートナーのトナー量をそれぞれ設定（調整）する機能部である。なお、設定部３０２は、ＩＲトナーのトナー量、および通常のカラートナーのトナー量のうち少なくともいずれか一方の設定が可能であるものとしてもよい。設定部３０２は、図２に示すＣＰＵ１０１で実行されるプログラム（プリンタドライバ１５２またはプレビューアプリケーション１５３）によって実現される。
【００５４】
取得部３０３は、ＰＣ１０から送信された印刷データに基づいて画像形成装置２０により生成された印刷プレビュー画像を取得する機能部である。取得部３０３は、図２に示すＣＰＵ１０１で実行されるプログラム（プリンタドライバ１５２またはプレビューアプリケーション１５３）によって実現される。
【００５５】
記憶部３１１は、原稿データ、印刷データおよびその他の情報を記憶する機能部である。記憶部３１１は、図２に示す補助記憶装置１０８またはＲＡＭ１０３のうち少なくともいずれかによって実現される。
【００５６】
入力部３１２は、ユーザが文字および数字等の入力、各種指示の選択、ならびにカーソルの移動等の操作入力を行う機能部である。入力部３１２は、図２に示す入力装置１０６によって実現される。
【００５７】
表示制御部３１３は、表示部３１４の表示動作を制御する機能部である。表示制御部３１３は、例えば、図２に示すＣＰＵ１０１で実行されるプログラム（プリンタドライバ１５２またはプレビューアプリケーション１５３）によって実現される。
【００５８】
表示部３１４は、表示制御部３１３の制御に従って、カーソル、メニュー、文字、画像（プレビュー画像等）または各種画面等の各種情報を表示する機能部である。表示部３１４は、図２に示す表示装置１０７によって実現される。
【００５９】
なお、図５に示すＰＣ１０の通信部３０１、設定部３０２、取得部３０３、記憶部３１１、入力部３１２、表示制御部３１３および表示部３１４は、機能を概念的に示したものであって、このような構成に限定されるものではない。例えば、図５に示すＰＣ１０で独立した機能部として図示した複数の機能部を、１つの機能部として構成してもよい。一方、図５に示すＰＣ１０で１つの機能部が有する機能を複数に分割し、複数の機能部として構成するものとしてもよい。
【００６０】
また、設定部３０２、取得部３０３および表示制御部３１３の一部または全部は、ソフトウェアであるプログラムではなく、ＦＰＧＡ（Ｆｉｅｌｄ−Ｐｒｏｇｒａｍｍａｂｌｅ  Ｇａｔｅ  Ａｒｒａｙ）またはＡＳＩＣ等のハードウェア回路によって実現されてもよい。
【００６１】
＜画像形成装置の機能ブロック構成＞
図５に示すように、本実施形態に係る画像処理システム１の画像形成装置２０は、通信部４０１（送信部、第２送信部）と、取得部４０２（第１取得部）と、設定部４０３と、解析部４０４と、画像生成部４０５と、画像形成部４０６と、記憶部４１１と、入力部４１２と、表示制御部４１３と、表示部４１４と、を有する。
【００６２】
通信部４０１は、ネットワークＮを介して、ＰＣ１０とデータ通信を行う機能部である。通信部４０１は、例えば、図３に示すネットワークＩ／Ｆ２０４ｂ、およびＣＰＵ２０１で実行されるプログラムによって実現される。
【００６３】
取得部４０２は、ＰＣ１０で作成された印刷データ、および、設定部３０２により設定（調整）されたトナー量の設定値を、通信部４０１を介して取得する機能部である。取得部４０２は、図３に示すＣＰＵ２０１で実行されるプログラムによって実現される。
【００６４】
設定部４０３は、ユーザの入力部４１２への操作入力に従って、印刷データが画像形成装置２０で印刷される際のＩＲトナーおよび通常のカラートナーのトナー量をそれぞれ設定（調整）する機能部である。なお、設定部４０３は、ＩＲトナーのトナー量、および通常のカラートナーのトナー量のうち少なくともいずれか一方の設定が可能であるものとしてもよい。設定部４０３は、図３に示すＣＰＵ２０１で実行されるプログラムによって実現される。
【００６５】
解析部４０４は、取得部４０２により取得された印刷データを解析する機能部である。例えば、解析部４０４は、印刷データに対する解析により、ＩＲトナーで描画すべき部分を特定する。解析部４０４は、図３に示すＣＰＵ２０１で実行されるプログラムによって実現される。
【００６６】
画像生成部４０５は、取得部４０２により取得された印刷データから、プレビュー表示画面（後述の図９に示すプレビュー表示画面１６００等）において画像形成装置２０で印刷された場合の結果の状態を予め確認するための印刷プレビュー画像を生成する機能部である。画像生成部４０５は、図３に示すＣＰＵ２０１で実行されるプログラムによって実現される。
【００６７】
画像形成部４０６は、第１取得部４０２により取得された印刷データを印刷出力する機能部である。画像形成部４０６は、図３に示すプロッタ２３１、およびＣＰＵ２０１で実行されるプログラムによって実現される。
【００６８】
記憶部４１１は、印刷データ、および印刷プレビュー画像等を記憶する機能部である。記憶部４１１は、図３に示す補助記憶装置２０８、システムメモリ２０２またはローカルメモリ２０７のうち少なくともいずれかによって実現される。
【００６９】
入力部４１２は、ユーザが文字および数字等の入力、ならびに各種指示の選択等の操作入力を行う機能部である。入力部４１２は、例えば、図３に示す操作表示部２１０の入力機能によって実現される。
【００７０】
表示制御部４１３は、表示部４１４の表示動作を制御する機能部である。表示制御部４１３は、図３に示すＣＰＵ２０１で実行されるプログラムによって実現される。
【００７１】
表示部４１４は、表示制御部４１３の制御に従って、文字、画像（プレビュー画像等）または各種画面等の各種情報を表示する機能部である。表示部４１４は、図３に示す操作表示部２１０の表示機能によって実現される。
【００７２】
なお、図５に示す画像形成装置２０の通信部４０１、取得部４０２、設定部４０３、解析部４０４、画像生成部４０５、画像形成部４０６、記憶部４１１、入力部４１２、表示制御部４１３および表示部４１４は、機能を概念的に示したものであって、このような構成に限定されるものではない。例えば、図５に示す画像形成装置２０で独立した機能部として図示した複数の機能部を、１つの機能部として構成してもよい。一方、図５に示す画像形成装置２０で１つの機能部が有する機能を複数に分割し、複数の機能部として構成するものとしてもよい。
【００７３】
また、取得部４０２、設定部４０３、解析部４０４、画像生成部４０５および表示制御部４１３の一部または全部は、ソフトウェアであるプログラムではなく、ＦＰＧＡまたはＡＳＩＣ等のハードウェア回路によって実現されてもよい。
【００７４】
（印刷プレビュー表示動作）
図６は、実施形態に係る画像処理システムの印刷プレビュー表示動作の一例を示すシーケンス図である。図７は、プレビュー表示画面の一例を示す図である。図６および図７を参照しながら、本実施形態に係る画像処理システム１での印刷プレビュー表示動作の流れを説明する。
【００７５】
＜ステップＳ１１＞
ユーザは、ＰＣ１０の入力部３１２を介して、ＰＣ１０で作成された印刷データの印刷プレビュー画像の表示を行うための操作を行う。例えば、ユーザは、アプリケーション１５１において印刷プレビュー表示を行うための操作、または、当該操作により表示部３１４に表示される図７に示すプレビュー表示画面１６００の表示ボタン１６０４の押下操作を行う。
【００７６】
図７に示すプレビュー表示画面１６００は、プレビュー表示領域１６０１と、表示ボタン１６０４と、編集ボタン１６０５と、を含む。プレビュー表示領域１６０１は、画像形成装置２０の画像生成部４０５により生成された印刷プレビュー画像を表示する表示領域である。表示ボタン１６０４は、ＰＣ１０で作成された印刷データから画像形成装置２０により印刷プレビュー画像を生成させ、当該印刷プレビュー画像をプレビュー表示領域１６０１に表示させるためのボタンである。編集ボタン１６０５は、後述の図１０に示すトナー量編集画面１７００を表示させ、印刷データが印刷される際のＩＲトナーおよび通常のカラートナーのトナー量をそれぞれ編集（調整）して設定するためのボタンである。
【００７７】
＜ステップＳ１２＞
ユーザにより入力部３１２に対して印刷データの印刷プレビュー画像の表示を行うための操作入力がなされると、ＰＣ１０の通信部３０１は、印刷プレビュー画像の生成の要求を示す印刷プレビュー生成要求を、ネットワークＮを介して画像形成装置２０へ送信する。このとき、ＰＣ１０の設定部３０２によって、印刷データが画像形成装置２０で印刷される際のＩＲトナーおよび通常のカラートナーのトナー量について設定された設定値が有る場合、通信部３０１は、上述の印刷プレビュー生成要求と共に、当該設定値（トナー量設定値）を、ネットワークＮを介して画像形成装置２０へ送信する。
【００７８】
＜ステップＳ１３＞
続いて、通信部３０１は、ＰＣ１０で作成された印刷データを、ネットワークＮを介して画像形成装置２０へ送信する。
【００７９】
＜ステップＳ１４＞
画像形成装置２０の取得部４０２は、通信部４０１により受信されたＰＣ１０から送信された印刷プレビュー生成要求、トナー量設定値、および印刷データを取得する。そして、画像形成装置２０の解析部４０４は、取得部４０２により取得された印刷データに対して解析を行う。例えば、解析部４０４は、印刷データに対する解析により、ＩＲトナーで描画すべき部分を特定する。
【００８０】
＜ステップＳ１５＞
画像形成装置２０の画像生成部４０５は、取得部４０２により取得されたトナー量設定値を、印刷プレビュー画像を生成する場合において各色、およびＩＲトナーにより描画される部分についての濃度を決定するためのトナー量調整値に反映して変更する。
【００８１】
＜ステップＳ１６＞
画像生成部４０５は、変更したトナー量調整値に従って、印刷データから印刷プレビュー画像を生成する。
【００８２】
＜ステップＳ１７＞
画像形成装置２０の通信部４０１は、画像生成部４０５により生成された印刷プレビュー画像を、ネットワークＮを介してＰＣ１０へ送信する。
【００８３】
＜ステップＳ１８＞
ＰＣ１０の取得部３０３は、通信部３０１により受信された画像形成装置２０から送信された印刷プレビュー画像を取得する。ＰＣ１０の表示制御部３１３は、取得部３０３により取得された印刷プレビュー画像を、図７に示すプレビュー表示画面１６００のプレビュー表示領域１６０１に表示させる。
【００８４】
以上のステップＳ１１〜Ｓ１８の流れで、画像処理システム１での印刷プレビュー表示動作が行われる。
【００８５】
（印刷プレビュー表示動作における画像形成装置側の動作）
図８は、実施形態での印刷プレビュー表示動作のうち画像形成装置側の動作の一例を示すフローチャートである。図８を参照しながら、図６に示した印刷プレビュー表示動作のうち、画像形成装置２０側の動作に着目して説明する。
【００８６】
＜ステップＳ２１＞
画像形成装置２０の通信部４０１は、ＰＣ１０から送信された印刷プレビュー画像の生成の要求を示す印刷プレビュー生成要求を受信する。このとき、ＰＣ１０の設定部３０２によって、印刷データが画像形成装置２０で印刷される際のＩＲトナーおよび通常のカラートナーのトナー量について設定された設定値が有る場合、通信部４０１は、上述の印刷プレビュー生成要求と共に、当該設定値（トナー量設定値）を受信する。そして、画像形成装置２０の取得部４０２は、通信部４０１により受信されたこれらのデータを取得する。そして、ステップＳ２２へ移行する。
【００８７】
＜ステップＳ２２＞
続いて、通信部４０１は、ＰＣ１０で作成された印刷データを受信する。そして、取得部４０２は、通信部４０１により受信された印刷データを取得する。そして、ステップＳ２３へ移行する。
【００８８】
＜ステップＳ２３＞
画像形成装置２０の解析部４０４は、取得部４０２により取得された印刷データに対して解析を行う。例えば、解析部４０４は、印刷データに対する解析により、ＩＲトナーで描画すべき部分を特定する。そして、ステップＳ２４へ移行する。
【００８９】
＜ステップＳ２４＞
取得部４０２によって印刷プレビュー生成要求と共に、トナー量設定値が取得された場合（ステップＳ２４：トナー量設定値有り）、ステップＳ２５へ移行し、トナー量設定が取得されていない場合（ステップＳ２４：トナー量設定値無し）、ステップＳ２６へ移行する。
【００９０】
＜ステップＳ２５＞
画像形成装置２０の画像生成部４０５は、取得部４０２により取得されたトナー量設定値を、印刷プレビュー画像を生成する場合において各色、およびＩＲトナーにより描画される部分についての濃度を決定するためのトナー量調整値に反映して変更する。そして、ステップＳ２６へ移行する。
【００９１】
＜ステップＳ２６＞
画像生成部４０５は、取得部４０２により取得された印刷データから印刷プレビュー画像を生成する。この場合、画像生成部４０５は、取得部４０２によりトナー量設定値が取得されていない場合、例えば、デフォルトのトナー量に基づいて、印刷データから印刷プレビュー画像を生成する。あるいは、画像生成部４０５は、印刷データにＩＲトナーで描画される部分がないものとして、通常のカラートナーのみで描画されるものとした印刷プレビュー画像を生成する。一方、画像生成部４０５は、取得部４０２によりトナー量設定値が取得されている場合、ステップＳ２５で変更されたトナー量調整値に従って、印刷データから印刷プレビュー画像を生成する。そして、ステップＳ２７へ移行する。
【００９２】
＜ステップＳ２７＞
通信部４０１は、画像生成部４０５により生成された印刷プレビュー画像を、ネットワークＮを介してＰＣ１０へ送信する。
【００９３】
以上のステップＳ２１〜Ｓ２７の流れで、印刷プレビュー表示動作のうち、画像形成装置２０側の動作が行われる。
【００９４】
（印刷プレビュー表示動作におけるＰＣ側の動作）
図９は、実施形態での印刷プレビュー表示動作のうちＰＣ側の動作の一例を示すフローチャートである。図１０は、トナー量編集画面の一例を示す図である。図９および図１０を参照しながら、図６に示した印刷プレビュー表示動作のうち、ＰＣ１０側の動作に着目して説明する。
【００９５】
＜ステップＳ３１＞
ユーザは、ＰＣ１０の入力部３１２を介して、ＰＣ１０で作成された印刷データの印刷プレビュー画像の表示を行うための操作を行う。ここでは、ユーザは、アプリケーション１５１において図７に示すプレビュー表示画面１６００を表示させるための操作を行う。そして、ステップＳ３２へ移行する。
【００９６】
＜ステップＳ３２＞
プレビュー表示画面１６００において、ユーザにより入力部３１２を介して、表示ボタン１６０４が押下された場合（ステップＳ３２：Ｎｏ）、ステップＳ３３へ移行し、編集ボタン１６０５が押下された場合（ステップＳ３２：Ｙｅｓ）、ステップＳ３４へ移行する。
【００９７】
＜ステップＳ３３＞
プレビュー表示画面１６００において、ユーザにより入力部３１２を介して、表示ボタン１６０４が押下された場合、ＰＣ１０の通信部３０１は、印刷プレビュー画像の生成の要求を示す印刷プレビュー生成要求を、ネットワークＮを介して画像形成装置２０へ送信する。そして、ステップＳ３６へ移行する。
【００９８】
＜ステップＳ３４＞
プレビュー表示画面１６００において、ユーザにより入力部３１２を介して、編集ボタン１６０５が押下された場合、ＰＣ１０の表示制御部３１３は、図１０に示すトナー量編集画面１７００を表示部３１４に表示させる。
【００９９】
図１０に示すトナー量編集画面１７００は、編集内容表示領域１７０１と、Ｃ調整部１７０３Ｃと、Ｍ調整部１７０３Ｍと、Ｙ調整部１７０３Ｙと、ＩＲ調整部１７０３ＩＲと、適用ボタン１７０５と、を含む。編集内容表示領域１７０１は、印刷プレビュー画像を表示すると共に、Ｃ調整部１７０３Ｃ等でのＩＲトナーおよび通常のカラートナーのトナー量の調整の結果、色の濃度が変更されて表示される表示領域である。図１０に示す例では、編集内容表示領域１７０１に、カラー画像に重畳してＩＲトナーによるＩＲ描画部ＩＲ１が描画されている。Ｃ調整部１７０３Ｃは、印刷プレビュー画像のうちカラートナーで描画されるカラー画像のＣ（シアン）成分のトナー量を調整するためのスライダーである。Ｍ調整部１７０３Ｍは、印刷プレビュー画像のうちのカラー画像のＭ（マゼンタ）成分のトナー量を調整するためのスライダーである。Ｙ調整部１７０３Ｙは、印刷プレビュー画像のうちのカラー画像のＹ（イエロー）成分のトナー量を調整するためのスライダーである。ＩＲ調整部１７０３ＩＲは、印刷プレビュー画像のうちＩＲトナーで描画される画像であるＩＲ画像についての当該ＩＲトナーのトナー量を調整するためのスライダーである。適用ボタン１７０５は、Ｃ調整部１７０３Ｃ、Ｍ調整部１７０３Ｍ、Ｙ調整部１７０３Ｙ、およびＩＲ調整部１７０３ＩＲによる各トナー量の調整後の状態で、印刷プレビュー画像を再生成するためのボタンである。このように、Ｃ調整部１７０３Ｃ、Ｍ調整部１７０３Ｍ、Ｙ調整部１７０３Ｙ、およびＩＲ調整部１７０３ＩＲの調整によって、カラートナー（通常の消費材の一例）に対するＩＲトナー（特殊な消費材の一例）の相対量の調整を行うことができることになる。なお、カラートナーに対するＩＲトナーの相対量の調整を行うためには、トナー量編集画面１７００において、少なくともＩＲ調整部１７０３ＩＲによるＩＲトナーのトナー量が調整できるものであればよく、あるいは、少なくともＣ調整部１７０３Ｃ、Ｍ調整部１７０３Ｍ、およびＹ調整部１７０３Ｙによるカラートナーのトナー量が調整できるものであればよい。また、Ｃ調整部１７０３Ｃ、Ｍ調整部１７０３Ｍ、およびＹ調整部１７０３ＹによりＣ（シアン）、Ｍ（マゼンタ）およびＹ（イエロー）の各成分のトナー量が調整できるようになっているが、さらに、Ｋ（ブラック）の成分のトナー量が調整できるスライダーがあってもよい。
【０１００】
なお、編集内容表示領域１７０１におけるＩＲトナーにより描画される画像（例えば、図１０におけるＩＲ描画部ＩＲ１）の表示色としては、ＩＲトナーは完全には透明ではないことによる実際の色に近似させた色、または、予め定められた色を、ＩＲトナーによる色であるものとして表示させるものとしてもよい。
【０１０１】
そして、トナー量編集画面１７００において、ユーザにより入力部３１２を介して、適用ボタン１７０５が押下された場合、ＰＣ１０の設定部３０２は、ユーザによる入力部３１２への操作入力に従い、トナー量編集画面１７００において調整された各カラートナーおよびＩＲトナーのトナー量を、調整後のトナー量（トナー設定値）として設定する。また、設定部３０２は、設定されたトナー量（トナー量設定値）を、記憶部３１１に記憶させるものとしてもよい。そして、ステップＳ３５へ移行する。
【０１０２】
＜ステップＳ３５＞
さらに、通信部３０１は、印刷プレビュー画像の生成の要求を示す印刷プレビュー生成要求と共に、設定部３０２により設定されたＩＲトナーおよびカラートナーのトナー量についての設定値（トナー量設定値）を、ネットワークＮを介して画像形成装置２０へ送信する。そして、ステップＳ３６へ移行する。
【０１０３】
＜ステップＳ３６＞
続いて、通信部３０１は、ＰＣ１０で作成された印刷データを、ネットワークＮを介して画像形成装置２０へ送信する。これによって、ＰＣ１０から送信された印刷データに基づいて、画像形成装置２０において、トナー量設定値が反映された印刷プレビュー画像が生成される。そして、ステップＳ３７へ移行する。
【０１０４】
＜ステップＳ３７＞
通信部３０１は、画像形成装置２０により生成された印刷プレビュー画像を、ネットワークＮを介して受信する。そして、ＰＣ１０の取得部３０３は、通信部３０１により受信された印刷プレビュー画像を取得する。そして、ステップＳ３８へ移行する。
【０１０５】
＜ステップＳ３８＞
ＰＣ１０の表示制御部３１３は、取得部３０３により取得された印刷プレビュー画像を、図７に示すプレビュー表示画面１６００のプレビュー表示領域１６０１に表示させる。また、ステップＳ３４においてトナー量編集画面１７００が表示されており、適用ボタン１７０５が押下された場合には、表示制御部３１３は、編集内容表示領域１７０１に印刷プレビュー画像を表示させるものとしてもよい。この場合、トナー量編集画面１７００からプレビュー表示画面１６００へ戻った場合には、プレビュー表示領域１６０１には、取得部３０３により取得された印刷プレビュー画像が表示されていることになる。
【０１０６】
以上のステップＳ３１〜Ｓ３８の流れで、印刷プレビュー表示動作のうち、ＰＣ１０側の動作が行われる。
【０１０７】
以上のように、本実施形態に係る画像処理システム１では、印刷データに基づいて画像形成に利用される通常のカラートナーおよびＩＲトナーのうち、少なくとともいずれか一方を調整することを可能とし、その調整後の印刷データの印刷結果を、印刷プレビュー画像を表示させるものとしている。これによって、カラートナーに対するＩＲトナーの相対量の調整後の印刷結果を、印刷プレビュー画像の表示によって確認することができる。また、このような印刷結果を印刷プレビュー画像により確認することによって、ＩＲトナーによる画像（ＩＲ画像）がどのように印刷されるのかを把握することができ、その印刷状態に応じて、ＩＲトナーのトナー量を調整することが可能となる。例えば、印刷プレビュー画像の確認により、ＩＲトナーによる画像が目立たないように印刷されるように、ＩＲトナーのトナー量を調整することができる。
【０１０８】
また、本実施形態に係る画像処理システム１では、ＰＣ１０で作成された印刷データに基づいて、画像形成装置２０（画像生成部４０５）で印刷プレビュー画像を生成し、当該印刷プレビュー画像をＰＣ１０へ送信するものとしている。これによって、実際に印刷される状態に等しい印刷プレビュー画像を確認することができる。
【０１０９】
なお、図６および図９では、カラートナーおよびＩＲトナーのトナー量の設定、および、印刷プレビュー画像の表示を、ＰＣ１０側で行うものとして説明したが、これに限定されるものではない。すなわち、上述のように、カラートナーおよびＩＲトナーのトナー量の設定は、画像形成装置２０の設定部４０３でも可能とし、画像生成部４０５により生成された印刷プレビュー画像は、表示制御部４１３により表示部４１４に表示されるものとしてもよい。
【０１１０】
また、上述の実施形態の各機能は、一または複数の処理回路によって実現することが可能である。ここで、「処理回路」とは、電子回路により実装されるプロセッサのようにソフトウェアによって各機能を実行するようプログラミングされたプロセッサや、上述した各機能を実行するよう設計されたＡＳＩＣ、ＤＳＰ（Ｄｉｇｉｔａｌ  Ｓｉｇｎａｌ  Ｐｒｏｃｅｓｓｏｒ）、ＦＰＧＡ、ＳＯＣ（Ｓｙｓｔｅｍ  ｏｎ  ａ  ｃｈｉｐ)、ＧＰＵ（Ｇｒａｐｈｉｃｓ  Ｐｒｏｃｅｓｓｉｎｇ  Ｕｎｉｔ）や従来の回路モジュール等のデバイスを含むものとする。
【０１１１】
また、上述の実施形態において、ＰＣ１０および画像形成装置２０の各機能部の少なくともいずれかがプログラムの実行によって実現される場合、そのプログラムは、ＲＯＭ等に予め組み込まれて提供される。また、上述の実施形態において、ＰＣ１０および画像形成装置２０で実行されるプログラムは、インストール可能な形式または実行可能な形式のファイルでＣＤ−ＲＯＭ（Ｃｏｍｐａｃｔ  Ｄｉｓｃ  Ｒｅａｄ  Ｏｎｌｙ  Ｍｅｍｏｒｙ）、フレキシブルディスク（ＦＤ）、ＣＤ−Ｒ（Ｃｏｍｐａｃｔ  Ｄｉｓｋ−Ｒｅｃｏｒｄａｂｌｅ）、またはＤＶＤ（Ｄｉｇｉｔａｌ  Ｖｅｒｓａｔｉｌｅ  Ｄｉｓｃ）等のコンピュータで読み取り可能な記録媒体に記録して提供するように構成してもよい。また、上述の実施形態において、ＰＣ１０および画像形成装置２０で実行されるプログラムを、インターネット等のネットワークに接続されたコンピュータ上に格納し、ネットワーク経由でダウンロードさせることにより提供するように構成してもよい。また、上述の実施形態において、ＰＣ１０および画像形成装置２０で実行されるプログラムを、インターネット等のネットワーク経由で提供または配布するように構成してもよい。また、上述の実施形態において、ＰＣ１０および画像形成装置２０で実行されるプログラムは、上述した各機能部のうち少なくともいずれかを含むモジュール構成となっており、実際のハードウェアとしてはＣＰＵが上述の記憶装置からプログラムを読み出して実行することにより、上述の各機能部が主記憶装置上にロードされて生成されるようになっている。
【符号の説明】
【０１１２】
１  画像処理システム
１０、１０ａ、１０ｂ  ＰＣ
２０  画像形成装置
１０１  ＣＰＵ
１０２  ＲＯＭ
１０３  ＲＡＭ
１０４  通信Ｉ／Ｆ
１０５  入出力Ｉ／Ｆ
１０６  入力装置
１０７  表示装置
１０８  補助記憶装置
１０９  バス
１５１  アプリケーション
１５２  プリンタドライバ
１５３  プレビューアプリケーション
２０１  ＣＰＵ
２０２  ＭＥＭ−Ｐ
２０３  ＮＢ
２０４ａ  ＳＢ
２０４ｂ  ネットワークＩ／Ｆ
２０４ｃ  ＵＳＢ  Ｉ／Ｆ
２０４ｄ  セントロニクスＩ／Ｆ
２０５  ＡＧＰ
２０６  ＡＳＩＣ
２０７  ＭＥＭ−Ｃ
２０８  補助記憶装置
２１０  操作表示部
２２０  ＦＣＵ
２３１  プロッタ
２３２  スキャナ
３０１  通信部
３０２  設定部
３０３  取得部
３１１  記憶部
３１２  入力部
３１３  表示制御部
３１４  表示部
４０１  通信部
４０２  取得部
４０３  設定部
４０４  解析部
４０５  画像生成部
４０６  画像形成部
４１１  記憶部
４１２  入力部
４１３  表示制御部
４１４  表示部
１６００  プレビュー表示画面
１６０１  プレビュー表示領域
１６０４  表示ボタン
１６０５  編集ボタン
１７００  トナー量編集画面
１７０１  編集内容表示領域
１７０３Ｃ  Ｃ調整部
１７０３Ｍ  Ｍ調整部
１７０３Ｙ  Ｙ調整部
１７０３ＩＲ  ＩＲ調整部
１７０５  適用ボタン
ＩＲ１  ＩＲ描画部
Ｎ  ネットワーク
【先行技術文献】
【特許文献】
【０１１３】
【特許文献１】特開２０１６−０６２１４３号公報
【図１】
2020131507.tif 000003
【図２】
2020131507.tif 000004
【図３】
2020131507.tif 000005
【図４】
2020131507.tif 000006
【図５】
2020131507.tif 000007
【図６】
2020131507.tif 000008
【図７】
2020131507.tif 000009
【図８】
2020131507.tif 000010
【図９】
2020131507.tif 000011
【図１０】
2020131507.tif 000012